【手続補正書】
【提出日】平成27年8月3日(2015.8.3)
【手続補正１】
【補正対象書類名】特許請求の範囲
【補正対象項目名】全文
【補正方法】変更
【補正の内容】
【特許請求の範囲】
【請求項１】
プロセッサと、
前記プロセッサに接続されたメモリと
を具備し、
前記メモリは、
チャネライゼーションコード毎に等しいパワーを有する、指定された数のチャネライゼーションコードのためのパワーの合計を示すパワー情報を決定することと、
ユーザ機器（ＵＥ）へ前記パワー情報を送信することと、
を具備し、動作を行うために前記プロセッサによって実行可能な命令を記憶し、
前記パワー情報は、前記指定された数のチャネライゼーションコードのためのパワーの合計とパイロットチャネルのパワーとの間のパワーオフセットを含み、
前記パワーオフセットは、データチャネルに利用可能なパワーと、前記利用可能なチャネライゼーションコードの数とに基づいて決定される
無線通信のための装置。
【請求項２】
前記動作は、
チャネライゼーションコードのセットを使用して第１伝送ブロックを送信することと、
前記第１伝送ブロックのために用いられる前記チャネライゼーションコードのセットのサブセットで、第２伝送ブロックを送信することと
をさらに含む、請求項１記載の装置。
【請求項３】
前記指定された数のチャネライゼーションコードは、１５個の直交可変拡散率（ＯＶＳＦ）符号のセットである、請求項１記載の装置。
【請求項４】
前記動作は、
データチャネルに利用可能なパワーを決定することと、
前記データチャネルに利用可能なチャネライゼーションコードの数を決定することと、
前記利用可能なパワーと、前記利用可能なチャネライゼーションコードの数と、前記チャネライゼーションコードの指定された数とに基づいて、前記パワー情報を決定することと
をさらに含む、請求項１記載の装置。
【請求項５】
前記動作は、
前記利用可能なパワーと前記利用可能なチャネライゼーションコードの数とに基づいて、前記チャネライゼーションコード毎のパワーを決定することと、
前記チャネライゼーションコードの指定された数と、前記利用可能なチャネライゼーションコードの数と、前記チャネライゼーションコード毎のパワーとに基づいて、前記指定された数のチャネライゼーションコードのためのパワーの合計を算出することと、
前記指定された数のチャネライゼーションコードのためのパワーの合計に基づいて前記パワー情報を決定することと
をさらに含む、請求項４記載の装置。
【請求項６】
前記動作は、前記パイロットチャネルの前記パワーを決定することをさらに含む、請求項５記載の装置。
【請求項７】
前記動作は、
前記ＵＥから少なくとも一つのチャネル品質インジケータ（ＣＱＩ）インデックスを受信することと、前記少なくとも一つのＣＱＩインデックスに基づいて、前記ＵＥに前記少なくとも一つの伝送ブロックを送信することと、
をさらに含み、
前記少なくとも一つのＣＱＩインデックスは、前記チャネライゼーションコード毎のパワーに基づいて前記ＵＥによって決定され、前記少なくとも一つのＣＱＩインデックスは、少なくとも１つの処理パラメータを示す、
請求項１記載の装置。
【請求項８】
前記動作は、前記ＵＥに、前記チャネライゼーションコード毎のパワー以上で、前記指定された数のチャネライゼーションコードで、前記少なくとも一つの伝送ブロックを送信することをさらに含む、請求項７記載の装置。
【請求項９】
前記動作は、
前記チャネライゼーションコードの指定された数及び前記利用可能なチャネライゼーションコードの数に基づいて、前記少なくとも一つの伝送ブロックのサイズを調整することと、
前記ＵＥに、前記チャネライゼーションコード毎のパワー以上で、前記利用可能な数のチャネライゼーションコードを使用して前記調整されたサイズで、前記少なくとも一つの伝送ブロックを送信することと
をさらに備える、請求項７記載の装置。
【請求項１０】
前記動作は、
前記チャネライゼーションコードの指定された数及び前記利用可能なチャネライゼーションコードの数に基づいて、前記チャネライゼーションコード毎のパワーを調整することと、
前記ＵＥに、前記調整されたチャネライゼーションコード毎のパワーで、前記利用可能な数のチャネライゼーションコードで、前記少なくとも一つの伝送ブロックを送信することと
をさらに備える、請求項７記載の装置。
【請求項１１】
前記動作は、チャネライゼーションコードの共通のセットで、複数の伝送ブロックの各々を送信することをさらに備える、請求項１記載の装置。
【請求項１２】
前記チャネライゼーションコードの指定された数は、データ伝送に利用可能なチャネライゼーションコードの最大数である請求項１記載の装置。
【請求項１３】
前記チャネライゼーションコードの指定された数は、データ伝送に利用可能な、前記ＵＥによって演繹的にわかる、チャネライゼーションコードの定数である請求項１記載の装置。
【請求項１４】
前記動作は、前記ＵＥに、無線リソース制御（ＲＲＣ）メッセージ中の情報エレメント中の前記パワー情報を送信することをさらに備える、請求項１記載の装置。
【請求項１５】
チャネライゼーションコード毎に等しいパワーを有する、指定された数のチャネライゼーションコードのためのパワーの合計を示すパワー情報を決定することと、
ユーザ機器（ＵＥ）に前記パワー情報を送信することと、
を具備し、
前記パワー情報は、前記指定された数のチャネライゼーションコードのためのパワーの合計とパイロットチャネルのパワーとの間のパワーオフセットを含み、
前記パワーオフセットは、データチャネルに利用可能なパワーと、前記利用可能なチャネライゼーションコードの数とに基づいて決定される
無線通信のための方法。
【請求項１６】
前記指定された数のチャネライゼーションコードのためのパワーの合計と、前記パイロットチャネルの前記パワーとに基づいて、前記パワーオフセットを決定することをさらに具備する、請求項１５記載の方法。
【請求項１７】
前記ＵＥから少なくとも一つのチャネル品質インジケータ（ＣＱＩ）インデックスを受け取ることと、
前記少なくとも一つのＣＱＩインデックスに基づいて前記少なくとも一つの伝送ブロックを処理することと、
前記ＵＥに、前記チャネライゼーションコード毎のパワー以上で、前記指定された数のチャネライゼーションコードで、前記少なくとも一つの伝送ブロックを送信することと
をさらに具備し、
前記少なくとも一つのＣＱＩインデックスは、前記チャネライゼーションコード毎のパワーに基づいて、前記ＵＥによって決定され、前記少なくとも一つのＣＱＩインデックスは、少なくとも１つの伝送ブロックと関連する少なくとも１つの処理パラメータを示す
請求項１５記載の方法。
【請求項１８】
前記ＵＥから少なくとも一つの伝送ブロックのための少なくとも一つのチャネル品質インジケータ（ＣＱＩ）インデックスを受け取ることと、
前記チャネライゼーションコードの指定された数及び前記利用可能なチャネライゼーションコードの数に基づいて、前記少なくとも一つの伝送ブロックのサイズを調整することと、
前記少なくとも一つのＣＱＩインデックスに従って前記調整されたサイズで前記少なくとも一つの伝送ブロックを処理することと、
前記ＵＥに、前記チャネライゼーションコード毎のパワー以上で、前記利用可能な数のチャネライゼーションコードを使用して、前記調整されたサイズで前記少なくとも一つの伝送ブロックを送信することと
をさらに具備し、
前記少なくとも一つのＣＱＩインデックスは、前記チャネライゼーションコード毎のパワーに基づいて、前記ＵＥによって決定され、前記少なくとも一つのＣＱＩインデックスは、前記少なくとも１つの伝送ブロックと関連する少なくとも１つの処理パラメータを示す
請求項１５記載の方法。
【請求項１９】
チャネライゼーションコード毎に等しいパワーを有する、指定された数のチャネライゼーションコードのためのパワーの合計を示すパワー情報を決定するための手段と、
ユーザ機器（ＵＥ）に前記パワー情報を送信するための手段と、
を具備し、
前記パワー情報は、前記指定された数のチャネライゼーションコードのためのパワーの合計とパイロットチャネルのパワーとの間のパワーオフセットを含み、
前記パワーオフセットは、データチャネルに利用可能なパワーと、前記利用可能なチャネライゼーションコードの数とに基づいて決定される
無線通信のための装置。
【請求項２０】
前記指定された数のチャネライゼーションコードのためのパワーの合計と前記パイロットチャネルの前記パワーとに基づいて、前記パワーオフセットを決定するための手段をさらに具備する、請求項１９記載の装置。
【請求項２１】
前記パワーオフセットは、データチャネルに利用可能なパワーと、前記データチャネルに利用可能なチャネライゼーションコードの数とに基づいてさらに決定される請求項１９記載の装置。
【請求項２２】
前記ＵＥから少なくとも一つの伝送ブロックのためのチャネル品質インジケータ（ＣＱＩ）インデックスを受信するための手段と、
前記ＣＱＩインデックスに従って前記少なくとも一つの伝送ブロックを処理するための手段と、
前記ＵＥに、前記チャネライゼーションコード毎のパワー以上で、前記指定された数のチャネライゼーションコードで、前記少なくとも一つの伝送ブロックを送信するための手段と
をさらに具備し、
前記ＣＱＩインデックスは、前記チャネライゼーションコード毎のパワーに基づいて、前記ＵＥによって決定され、前記ＣＱＩインデックスは、前記少なくとも１つの伝送ブロックと関連する少なくとも１つの処理パラメータを示す
請求項１９記載の装置。
【請求項２３】
前記ＵＥから少なくとも一つの伝送ブロックのためのチャネル品質インジケータ（ＣＱＩ）インデックスを受信するための手段と、
前記チャネライゼーションコードの指定された数及び前記利用可能なチャネライゼーションコードの数に基づいて、前記少なくとも一つの伝送ブロックのサイズを調整するための手段と、
ＣＱＩインデックスに従って、前記少なくとも一つの伝送ブロックを処理するための手段と、
前記ＵＥに、前記チャネライゼーションコード毎のパワー以上で、前記利用可能な数のチャネライゼーションコードを使用して前記調整されたサイズで、前記少なくとも一つの伝送ブロックを送信するための手段と
をさらに具備し、
前記ＣＱＩインデックスは、前記チャネライゼーションコード毎のパワーに基づいて、前記ＵＥによって決定され、前記ＣＱＩインデックスは、前記少なくとも１つの伝送ブロックと関連する少なくとも１つの処理パラメータを示す
請求項１９記載の装置。
【請求項２４】
チャネライゼーションコード毎に等しいパワーを有する、指定された数のチャネライゼーションコードのためのパワーの合計を示すパワー情報を決定することと、
ユーザ機器（ＵＥ）に前記パワー情報を送信することと、
を具備し、
前記パワー情報は、前記指定された数のチャネライゼーションコードのためのパワーの合計とパイロットチャネルのパワーとの間のパワーオフセットを含み、
前記パワーオフセットは、データチャネルに利用可能なパワーと、前記利用可能なチャネライゼーションコードの数とに基づいて決定される
動作を行うためにプロセッサによって実行可能な命令を記憶する非一時的コンピュータ読み取り可能な記憶媒体。
【請求項２５】
前記指定された数のチャネライゼーションコードの各々は、直交可変拡散率（ＯＶＳＦ）符号である請求項１記載の装置。